(57)【要約】      （修正有）【課題】レバー１つの操作で、一瞬にして全アームより衣類を取り外せるパラソルハンガーを提供する。【解決手段】パラソルハンガーの土台部３と、土台部から放射状に延出されたアーム８（衣類掛け手段）と、アームの延出方向に対して略直角方向で且つ、土台部を貫通して設けられた土台部吊り下げ軸５と、吊り下げ軸に沿って上下に移動する可動筒１０（上下移動手段）と、可動筒を上方向へ付勢するバネ４（付勢手段）と、可動筒を下方向へ牽引する吊り下げレバー１４と針金軸２（牽引手段）と、可動筒が上方向へ移動した際に、一端が可動筒に当接し、他端がアーム８に当接する可動ピン６（衣類押さえ手段）とで構成される。【選択図】図１１
0003189361.tif 000002
【実用新案登録請求の範囲】
【請求項１】
パラソルハンガーの土台部と、前記土台部から放射状に延出された衣類掛け手段と、前記衣類掛け手段の延出方向に対して略直角方向で且つ、前記土台部を貫通して設けられた前記土台部の吊り下げ手段と、前記吊り下げ手段に沿って上下に移動する上下移動手段と、前記上下移動手段を上方向へ付勢する付勢手段と、前記上下移動手段を下方向へ牽引する牽引手段と、前記上下移動手段が上方向へ移動した際に、一端が前記上下移動手段に当接し、他端が前記衣類掛け手段に当接する衣類押さえ手段とで構成されたパラソルハンガー。
【請求項２】
上下移動手段と衣類押さえ手段の接触面が同一半径の円周弧で構成したことを特徴とする請求項第１項記載のパラソルハンガー。
【請求項３】
上下移動手段を下方向へ牽引したときに、前記上下移動手段を前記下方向に牽引した位置で保持する保持手段を設けたことを特徴とする請求項１および２記載のパラソルハンガー。
【考案の詳細な説明】
【技術分野】
【０００１】  本考案はパラソルハンガーにて乾燥した衣類をレバー操作で一度にすべての衣類をハンガーアームより取り外すことを可能としたものである。
【背景技術】
【０００２】  従来のパラソルハンガーは便利にできているが、乾燥後の衣類の取り外しが各アームより１枚ずつの取り外しで、面倒で時間を要した。
【先行技術文献】
【０００３】
【特許文献１】  特開２００３−２４６９７号公報
【考案の概要】
【考案が解決しようとする課題】
【０００４】  従来のパラソルハンガーにて乾燥した衣類を各アームより逐一取外す煩わしさがあった。
【課題を解決するための手段】
【０００５】  本考案はパラソルハンガーの土台部と、土台部から放射状に延出された衣類掛け手段と、衣類掛け手段の延出方向に対して略直角方向で且つ、土台部を貫通して設けられた土台部の吊り下げ手段と、吊り下げ手段に沿って上下に移動する上下移動手段と、上下移動手段を上方向へ付勢する付勢手段と、上下移動手段を下方向へ牽引する牽引手段と、上下移動手段が上方向へ移動した際に、一端が上下移動手段に当接し、他端が衣類掛け手段に当接する衣類押さえ手段とで構成することにより従来の課題を解決するものである。
【考案の効果】
【０００６】  本考案のパラソルハンガーは洗濯物を一度に取り込み、多忙さの中でレバー１つの操作で、一瞬にして全アームより衣類が取り外せ、片付けも早く手間と時間の無駄を無くすことができる。
【図面の簡単な説明】
【０００７】
【図１】  本考案の一実施例を示すパラソルハンガーの通常の斜視図である。
【図２】  本考案の一実施例におけるパラソルハンガー作動時の斜視図である。
【図３】  本考案の一実施例における可動ピン（衣類押さえ手段）の斜視図である。
【図４】  本考案の一実施例における衣類着脱機構部の断面図である。
【図５】  本考案の一実施例における可動ピン（衣類押さえ手段）の取り付け斜視図である。
【図６】  本考案の一実施例における可動ピン（衣類押さえ手段）の取り付け平面図でる。
【図７】  本考案の実施例における衣類着脱機構部の構造を示す断面図である。
【図８】  本考案の一実施例における可動筒（上下移動手段）と吊り下げレバー針金軸の構造断面図である。
【図９】  本考案の一実施例における可動筒（上下移動手段）と吊り下げ軸と吊り下げレバー針金軸との関係を示す平面図である。
【図１０】  本考案の一実施例における可動筒（上下移動手段）と吊り下げ軸と、吊り下げレバー針金軸との関係を示す斜視図である
【図１１】  本考案の一実施例におけるパラソルハンガー全体の構造と機能、動作を示す断面図である。
【図１２】  本考案の一実施例における衣類着脱機構部のアーム及び可動ピン設置平面図である。
【考案を実施するための形態】
【０００８】  パラソルハンガー（図１の全体を示し、以後「ハンガー」）が通常の状態では、吊り下げレバー針金軸２（以後「レバー針金軸２」）は連動しているバネ４（付勢手段）の力により、可動筒１０（上下移動手段）は押上げられており、これに密着する可動ピン６（衣類押さえ）はアーム８（衣類掛け手段）に当接する。従ってアーム８と可動ピン６の間に衣類を挟むことができる。衣類乾燥後は吊り下げレバー１４（牽引手段）を握ることによって可動筒１０に対してバネ４（付勢手段）が解除され、可動筒１０と可動ピン６の当接が解除され、可動ピン６はアーム８より離れ一斉に衣類を外すことができる。
【実施例】
【０００９】本考案の実施例について図１、図４、図７、図１１、を用いて説明する。図１は本考案実施の形態に係わるハンガーの通常の斜視図である。この図はハンガーを物干し竿等に固定した状態を表したものである。この状態で吊り下げレバー１４を握ると吊り下げ軸５の最上部の鰐口１が大きく開き、物干し竿等を挟み、吊り下げレバー１４を離すと鰐口１が閉じられ固定される。この鰐口１の開閉はレバー針金軸２は吊り下げレバー１４を握ると下方へ、又離すとバネ４（付勢手段）の働きにより上方へ（元の位置に戻る）という動きをする。このレバー針金軸２の上下運動を利用して、この図では見えないが衣類着脱機構部の動作構造を考案したものである。その構成を説明すると図１１のように、レバー針金軸２は吊り下げ軸５内を通り上部の鰐口１と可動筒１０（上下移動手段）と下部の吊り下げレバー１４（牽引手段）に連結しており、吊り下げレバー１４の操作により可動筒１０が上下移動するものである。従って、土台部３の内部に設けられたレバー針金軸２の上下運動に伴って移動する可動筒１０（上下移動手段）とこの可動筒１０に連動する可動ピン６（衣類押さえ手段）が本考案の目的に沿った動作を行い、その機能を果たすものである。図１は吊り下げレバー１４を離し、土台部３より放射状に延出したアーム８（衣類掛け手段）が開き、このアーム８を可動ピン６が押さえ、このハンガーに衣類をかけて保持できる状態を表している。【００１０】  図２は衣類乾燥後の衣類着脱機構部の動作を表わしたものである。図２、図１１により乾燥後の衣類取り外しまでの機能と動作を説明する。先ず、吊り下げレバー１４を握ると鰐口１が開き、ハンガーを物干し竿より取り外す。次に、図２のようにハンガーを逆さにすると土台部３から放射状に延出されたアーム８（衣類掛け手段）は自然に吊り下げ軸５と略平行に垂れ下がる。又、図２，図１１のように吊り下げレバー１４を握ると１４Ｂとなり、レバー針金軸２は下方へ下がり、それに連結している可動筒１０（上下移動手段）も下方へ下がって１０Ｂに位置する。従って、可動筒１０に当接していた可動ピン６は可動筒１０より離れ、６Ｂに位置することになる。可動ピン６の衣類を押さえていた力が解除され、図２のように可動ピン６の先端部分がアーム８（衣類掛け手段）より離れ、アーム８に掛かっていた衣類は解放され、簡単にハンガーより離脱する。尚、吊り下げレバー１４を握った状態を維持する為に，吊り兼ロック環１５を吊り下げレバー１４に掛ける。【００１１】  本考案衣類着脱機構部構造は主に次の３つの部品の構造と動作によって成り立っている。第一が本考案の機構部の動力源ともいえる吊り下げ軸５内のレバー針金軸２と連結、連動するバネ４（付勢手段）によるレバー針金軸２の上下移動、第二が第一のレバー針金軸２に当接する可動筒１０の働き、第三が第二の可動筒１０に当接する可動ピン６の働きによって成り立っている。組立の順序もあり、可動ピン６（衣類押さえ手段）可動筒１０（上下移動手段）の順で述べる。【００１２】  図３は、可動ピン６の斜視図である。材質は本体と同一材で形状は衣類押さえの為、先端をやや薄めにして柔らかく丸みを持たせる。根元部はやや厚めで丈夫に、又、可動ピン支持軸７は本体と同一材質で成形品とする。ここで重要なのは可動筒１０と可動ピン６の接触面の曲線が同一半径の円周弧になっていることである。このように同一半径の円周弧に構成することにより、レバー１４を握ると直ぐに可動筒１０と稼働ピン６の接触が解除され素早く衣類をアーム８より取り外すことができる。【００１３】  図４は、土台部３に可動ピン６を組立完了した状態を表した断面図である。可動ピン６（衣類抑え手段）は可動ピン支持軸７を支点に動く。従って、可動ピン６の先端はアーム８に当接したり離れたりする。この動きに連動しているのは図７に示した可動筒１０の働きによる。【００１４】  図５は、可動ピン６（衣類押さえ）の取り付け方法を示す斜視図である。図４、図５、図６、図１２により、本考案の可動ピン６の組立について説明する。組立は図４のように土台部３の底面と側面との熱溶着３Ｃを行う工程の前に図５の斜視図のとおり土台部３の側面の可動ピン用の穴部１６より土台部３の内側から可動ピン６の先端を穴部１６の外側に向けて差込み、図６の平面図のように、土台部壁面の可動ピン軸受１７に、可動ピン６の可動ピン支持軸７を壁面の弾力性を利用して組み立てる。可動ピン６が可動ピン支持軸７を中心にスムースに動作するか確認する。この動作によって初めて可動ピン６が、アーム８（衣類掛け手段）に当接したり離れたりする。従って、この動作は本考案の中心的な働きの一つである。可動ピン６（衣類抑え手段）とアーム８（衣類掛け手段）が正確に全て設置されると図１２のように衣類着脱機構部のアーム８及び、可動ピン６の設置平面図になる。【００１５】  図７は、本考案の衣類着脱機構部の構造を示す断面図である。可動筒１０の設置状況と、可動筒１０、レバー針金軸２、可動ピン６（衣類抑え手段）、アーム８（衣類掛け手段）の位置関係と構造を示したものである。この構造の動作については図８、図９、図１０、図１１によって詳述する。【００１６】  図８は、可動筒１０（上下移動手段）とレバー針金軸２の関係を示した構造断面図である。図８の重要部分は本考案の動力源とも言える吊り下げレバー１４（牽引手段）を握ったり離したりの動作によってレバー針金軸２がバネ４（付勢手段）によって上下運動し、可動筒１０に連動する。その為には図８の可動筒１０とその可動筒針金１１の一体化（固着状態）、さらに可動筒針金１１とレバー針金軸２とが直角交差位置１２で完全固着していることである。これにより吊り下げレバー１４の動きが正確にレバー針金軸２に連動し、更に、それが正確に可動筒１０（上下移動手段）に連動し、更に、可動ピン６が正確に連動し、本考案の目的が達成されることになる。【００１７】  図９は、可動筒１０（上下移動手段）と吊り下げ軸５、レバー針金軸２との関係を示す平面図である。１０Ｃは底面と側面、上面と側面の熱溶着を表す。１２はレバー針金軸２と可動筒針金１１の固着部を示している。【００１８】  図１０は、可動筒１０（上下移動手段）と吊り下げ軸５の関係を示した斜視図である。設置方法、構造、位置関係を表している。この可動筒１０がスムースに有効に機能する為に吊り下げ軸５に外接し、この可動筒１０が安定した上下運動ができるように、図のように吊り下げ軸５の側面の左右両面に可動筒針金１１の太さと可動筒１０の上下移動距離に合わせた長さの縦長方形の穴を穿ち、可動筒１０がレバー針金軸２の上下運動に連動して吊り下げ軸５に外接する可動筒１０が安定した上下動作ができる。【００１９】  以上のように各図により各部品や構造、動作について説明したが、最後に図１１に従って本考案の衣類着脱機構全体の動作について説明する。通常の吊り下げレバー１４を握らない状態１４Ａではレバー針金軸２は鰐口１に設置されているバネ４（付勢手段）の力により上に引き上げられている。この状態では鰐口１も閉じられ、可動筒１０も１０Ａに位置することになる。従って、この位置で可動筒１０（上下移動手段）は可動ピン６（衣類押さえ手段）に当接する。この状態で可動ピン６は可動ピン支持軸７を中心にして、てこの原理にて可動ピン６の先端は下がって６Ａに位置する状態となってアーム８に当接する。従って、アーム８（衣類掛け手段）に掛けている衣類を押さえることができる。【００２０】  衣類乾燥後の本考案の衣類着脱機構の最重要部分について図２、図１１によって説明する。図２に示したような衣類取り入れ操作を、図１１に従って機構の動作を説明する。吊り下げレバー１４を握ると吊り下げレバー１４は１４Ｂに位置し、レバー針金軸２が垂直に引き下げられ、これに固定固着された鰐口１は口を開いた状態になる。レバー針金軸２に連動する可動筒１０（上下移動手段）も同じく押し下げられ１０Ｂの位置に動く。従って、可動筒１０から可動ピン６（衣類抑え手段）が当接より解除され、可動ピン６は可動ピン支持軸を支点として、てこの原理により６Ｂの位置に動作する。従って、アーム８に当接していた可動ピン６（衣類抑え手段）の先端がアーム８（衣類掛け手段）より離れることになる。このように吊り下げレバー１４を握ることによって起こる一連の動作によって、アーム８（衣類掛け手段）に掛けられた衣類が結果として瞬時にアーム８より離脱することになり本考案の目的が達成される。【００２１】  最後に、折りたたんで片付ける時の操作を図２によって説明する。可動ピン６、アーム８が吊り下げ軸５に略平行にして折り畳むには、吊り下げレバー１４を握った状態が必要である。従って、吊り兼ロック環１５を吊り下げレバー１４にかけるようにする。
【符号の説明】
【００２２】  １    鰐口
２    吊り下げレバー針金軸（牽引手段）
３    土台部
４    バネ（付勢手段）
５    吊り下げ軸
６    可動ピン（衣類抑え手段）
７    可動ピン支持軸
８    アーム（衣類掛け手段）
９    アーム支持軸
１０  可動筒（上下移動手段）
１１  可動筒針金
１２  固着部（２と１１）
１３  可動筒上下移動溝穴
１４  吊り下げレバー（牽引手段）
１５  吊り兼ロック環（保持手段）
１６  可動ピン用穴部
１７  可動ピン軸受
【図１】
0003189361.tif 000003
【図２】
0003189361.tif 000004
【図３】
0003189361.tif 000005
【図４】
0003189361.tif 000006
【図５】
0003189361.tif 000007
【図６】
0003189361.tif 000008
【図７】
0003189361.tif 000009
【図８】
0003189361.tif 000010
【図９】
0003189361.tif 000011
【図１０】
0003189361.tif 000012
【図１１】
0003189361.tif 000013
【図１２】
0003189361.tif 000014
【手続補正書】
【提出日】平成25年12月10日(2013.12.10)
【手続補正１】
【補正対象書類名】実用新案登録請求の範囲
【補正対象項目名】請求項３
【補正方法】変更
【補正の内容】
【請求項３】
上下移動手段を下方向へ牽引したときに、前記上下移動手段を前記下方向に牽引した位置で保持する保持手段を設けたことを特徴とする請求項１または２記載のパラソルハンガー。